(57)【特許請求の範囲】
【請求項１】
左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記側板に平行となる断面が湾曲した形状の湾曲面を有し、千鳥状に配列されて前記コラム側板の間に架設したコラムセグメントの板面に対し、前記湾曲面に沿って前記コラム側板間方向で前記コラムセグメントの横幅方向の中間部から端部方向に向かって前記湾曲面内側へ傾斜した断面形状を有した略三角形断面形状のビードを複数形成したことを特徴とする前記コラムセグメントで構成された前記商品通路を有した自動販売機の商品収納棚。
【請求項２】
左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記側板に平行となる断面が湾曲した形状の湾曲面を有し、千鳥状に配列されて前記コラム側板の間に架設したコラムセグメントの板面に対し、前記湾曲面に沿って前記コラム側板間方向で前記コラムセグメントの横幅方向の中間部から端部方向に向かって前記湾曲面内側へ傾斜した断面形状を有した略台形断面形状のビードを複数形成したことを特徴とする前記コラムセグメントで構成された前記商品通路を有した自動販売機の商品収納棚。
【請求項３】
左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成された各平押しビードの横側で、且つ、前記コラムセグメントの横幅方向で中間部側の位置に、前記湾曲面に沿って前記コラム側板間方向で前記コラムセグメントの横幅方向の中間部から端部方向に向かって前記湾曲面内側へ傾斜した断面形状を有した略台形断面形状のビードもしくは、略三角形断面形状のビードのいずれかを設けたことを特徴とする前記コラムセグメントで構成された前記商品通路を有した自動販売機の商品収納棚。
【請求項４】
左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成された各平押しビードの高さが略中間部に位置する前記平押しビードから端部に位置する前記平押しビードへ順次低くなることを特徴とする前記コラムセグメントで構成された前記商品通路を有した自動販売機の商品収納棚。
【請求項５】
左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成された各平押しビードの横側で、且つ、前記コラムセグメントの横幅方向の中間部側に位置し、前記コラムセグメントの横幅方向の中間部から端部方向に向かって前記湾曲面内側へ傾斜した断面形状を有し、且つ、前記平押しビードの高さより前記湾曲面内側方向へ高くなった略台形断面形状のビードもしくは、略三角形断面形状のビードのいずれかを設けたことを特徴とする前記コラムセグメントで構成された前記商品通路を有した自動販売機の商品収納棚。
【請求項６】
左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成されたビードの全てもしくは一部が、前記コラムセグメントの上端にカール加工を施して構成された軸部の円周上にまで設けられたことを特徴とする請求項１から請求項５のいずれかに記載の前記コラムセグメントで構成された前記商品通路を有した自動販売機の商品収納棚。
【請求項７】
左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成されたビードの全てもしくは一部が、前記コラムセグメントの上下端にカール加工を施して構成された軸部の円周上にまで設けられたことを特徴とする請求項１から請求項５のいずれかに記載の前記コラムセグメントで構成された前記商品通路を有した自動販売機の商品収納棚。
【請求項８】
左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記側板に平行となる断面が湾曲した形状の湾曲面を有し、千鳥状に配列されて前記コラム側板の間に架設したコラムセグメントの板厚を０．４ｍｍ以下としたことを特徴とする請求項１から請求項７のいずれか一項に記載の前記コラムセグメントで構成された前記商品通路を有した自動販売機の商品収納棚。
【請求項９】
左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記側板に平行となる断面が湾曲した形状の湾曲面を有し、千鳥状に配列されて前記コラム側板の間に架設したコラムセグメントの左右側縁を折り返してダブルホールド部を形成、または、Ｌ曲げにて前記湾曲面の外側へ直角方向にフランジを形成したことを特徴とする請求項１から請求項８のいずれか一項に記載の前記コラムセグメントで構成された前記商品通路を有した自動販売機の商品収納棚。
【発明の詳細な説明】
【０００１】
【発明の属する技術分野】
本発明は、缶、びんやペット容器の商品などの自動販売機に搭載した商品収納棚に関するものである。
【０００２】
【従来の技術】
近年、自動販売機は様々な商品分野において急速に普及しており、なかでも飲料用の缶、びんやペット容器の自動販売機の普及は目覚しく、これらの商品は一般消費者がいつでも自動販売機により手軽に購入することができるようになっている。
【０００３】
ところで、自動販売機に商品を補充する間、商品の販売を停止させなければならず、商品の補充回数が多ければ自動販売機の商品販売効率が下がることを改善するために、昨今では、自動販売機の商品収納数を増やす傾向にある。
【０００４】
しかし、商品収納数を増やすことにより自動販売機の商品収納棚に設けられた商品通路を構成するコラムセグメントに加わる商品重量の荷重も大きくなることから、コラムセグメントに要求される剛性も高める必要がある。
【０００５】
一方、自動販売機の普及率を上げるためにより安価な自動販売機を提供する手段として、コラムセグメントの材料となる板厚を下げることにより材料費を下げることができる。
【０００６】
また、コラムセグメントの材料となる板厚を下げることにより商品収納棚の重量が軽くなり、その結果自動販売機自体の重量を下げることができ、自動販売機の設置に要する労力及び設置時間等を軽減することができる。
【０００７】
従来の自動販売機の商品収納棚に用いられていたコラムセグメントとしては例えば、実開昭５８−１５２６８号公報，実開平５−３６５８１号公報などで公知である。
【０００８】
最近では、コラムセグメントの剛性を損なわず、もしくは、剛性を高めて尚且つ、材料となる板厚を下げ、材料費を下げることを目的として特開平９−３１１９８０号公報に示される構成などがあるが、更なる重量軽減，剛性アップ，材料費軽減が要求されているのが実状であり、併せて搬出性能を向上させることが望まれている。
【０００９】
従来の技術として特開平９−３１１９８０号公報に示されている自動販売機の商品収納棚について以下、図面を参照しながら説明する。図５は、自動販売機の全体構成を示す斜視図である。
【００１０】
図において、１は自動販売機本体ケース、２は前面外扉、３は断熱内扉、４は本体ケース１の庫内に収設した商品収納棚である。５は販売司令に基づき搬出された商品を取出し口６に送出するシュータである。
【００１１】
図６は、商品収納棚の従来構成を示す断面図である。
【００１２】
図において、８は、上下端にカール加工を施して左右両端より突き出した長さをそれぞれ有した軸部９が設けられたコラムセグメントで、前記複数列に千鳥状に配列されて商品通路１０を構成し、各々は軸部９の両端をコラム側板７に穿った穴へ直接刺し込んだ上で、軸部９の先端を折り曲げてコラム側板７にかしめ止めしてコラム側板７の間に架設されている。
【００１３】
１１は、商品通路１０の上端に連ねて配され、投入する商品を商品通路１０へ転動させて案内する商品投入用の商品案内板で、１２は、商品の販売司令に基づいて１本ずつ搬出させる商品搬出用のベンド機構である。
【００１４】
図７は、コラムセグメント８の正面図で、図８は、コラムセグメント８の側面図、図９は、コラムセグメント８を横幅方向のＢ−Ｂ線で切断して下方から上方を見た時の図７のＢ−Ｂ線断面図である。
【００１５】
図において、１３は、所要の剛性を確保するためにコラムセグメント８の湾曲面１４に沿って左右に複数平行して並べた平押しビードである。
【００１６】
かかる構成になる自動販売機の商品収納棚の動作は周知の通りであり、販売司令に基づき商品収納棚４から搬出された商品は、シュータ５を経て前面外扉２に設けた商品取出し口６に送出される。また、商品補充時に商品を横向き姿勢にして前方より商品収納棚４の上部に設けられた商品案内板１１へ投入すると、商品は商品案内板１１上を転動してその後端から蛇行状の商品通路１０の中に転がり落ち、商品通路１０に沿って上下一列に収納される。
【００１７】
【発明が解決しようとする課題】
ところが、上記従来の構成（特開平９−３１１９８０号公報）は、平押しビード１３をコラムセグメント８の側面形状の一部を構成する湾曲面１４に沿って左右に平行して複数並べたため、商品案内板１１より横向きに投入された商品が商品案内板１１上を転動して商品通路１０に案内される際、商品案内板１１上後端で商品がコラム側板７間方向に対して斜めになると、商品通路１０に落下する時、商品姿勢が斜めになり商品が縦向きに落下しようとする傾向がある。この時、平押しビード１３の縦方向の段差に商品の端部が引っ掛かり、商品通路１０内で詰まり、搬出不良を引き起こすことがあるという課題があった。
【００１８】
特に、コラムセグメント８の剛性を更に高めたい時、断面二次モーメントを大きくするために平押しビード１３の高さを湾曲面１４の内側方向に更に高くして剛性を上げるが、その時、平押しビード１３の縦方向の段差が更に大きくなり商品の端部に引っ掛かる確率が増え、商品通路１０内での商品詰まりによる搬出不良の確率が増えていた。
【００１９】
本発明は従来の課題を解決するもので、コラムセグメントの側面形状の一部を構成する湾曲面に沿って左右に平行して複数並べた平押しビードの縦方向の段差に商品の端部が引っ掛からず商品通路内で商品が詰まることなく正常に搬出する自動販売機の商品収納棚を提供することを目的とする。
【００２０】
また、コラムセグメント８はその上端と下端に設けられた軸部９の先端を折り曲げてコラム側板７にそれぞれかしめ止めしてコラム側板７の間に架設されているので、コラムセグメント８に落下してきた商品は落下衝撃を吸収されないまま落下することとなり、商品通路１０内で安定した落下姿勢で落下せず商品詰まりによる搬出不良の確率を上げる要因の一つとなっていた。
【００２１】
本発明の他の目的は、コラムセグメントの材料となる板厚を小さくしても所要の剛性を確保できる形状を有したコラムセグメントとし、且つ、商品の落下衝撃を吸収できる構造とすることにより商品通路内での商品落下姿勢を安定させ、搬出不良の要因を減らし、より品質の良い自動販売機の商品収納棚を提供することを目的とする。
【００２２】
また、商品通路内での商品落下姿勢を安定させ、搬出不良の要因を減らすため、コラムセグメントはその上端に設けられた軸部でのみコラム側板に回転自在に軸支され、自重では商品通路を塞ぐ方向に取り付いており、落下してきた商品は商品通路を塞ぐ方向に取り付けられたコラムセグメントを押し広げながら商品通路内を落下していくこととなり、商品の落下衝撃は、コラムセグメントを押し広げる力に変換されることにより落下衝撃を吸収することができるコラムセグメントで構成された商品収納棚を有した自動販売機を提供することを目的としている。
【００２３】
また、自動販売機の普及率を上げ、より安価で、より軽量の自動販売機を提供する目的でコラムセグメント８の材料となる板厚を更に小さくすると、軸部９と平押しビード１３との間が脆弱になり、商品荷重によりコラムセグメント８が破断し、商品通路１０の一部が欠損して、欠損した箇所で商品が詰まり搬出不良を起こすという課題がある。
【００２４】
本発明の他の目的は、コラムセグメントの材料となる板厚を小さくしても軸部と平押しビードとの間が脆弱にならず、従来の板厚で作製されたコラムセグメントと同等以上の剛性をコラムセグメントに持たせることと併せて、材料となる板厚をより小さくして材料費を節減することである。
【００２５】
【課題を解決するための手段】
本発明は、商品通路を構成するコラムセグメントの剛性を下げることなく材料となる板厚を小さくでき、尚且つ、商品通路内での商品詰まりによる搬出不良が起こらず品質を損なわないもしくは向上できるコラムセグメントで構成された商品通路を有した自動販売機の商品収納棚を提供できるようにすることを課題としてなされたものである。
【００２６】
上記課題を解決するための手段として本発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記側板に平行となる断面が湾曲した形状の湾曲面を有し、千鳥状に配列されて前記コラム側板の間に架設したコラムセグメントの板面に対し、前記湾曲面に沿って前記コラム側板間方向で前記コラムセグメントの横幅方向の中間部から端部方向に向かって前記湾曲面内側へ傾斜した断面形状を有した略三角形断面形状のビードを複数形成した前記コラムセグメントで前記商品通路を構成したことにある。
【００２７】
これにより、断面二次モーメントの関係から材料となる板厚を小さくしても前記コラムセグメントに所要の剛性を確保できるのでより軽い自動販売機の商品収納棚を提供でき、尚且つ、前記コラムセグメントの横幅方向の断面形状で特にビード部断面形状を前記コラムセグメントの横幅方向の中間部から端部に向かって前記湾曲面内側へ傾斜した断面を有した略三角形断面形状としたので、前記商品案内板後端より立ち気味に落下してきた商品の下側端部が前記略三角形断面形状のビードの前記コラム側板と平行な面のうち、前記湾曲面の内側へ向かって傾斜した面に引っ掛からずに前記略三角形断面形状の頂点のうち、最も前記湾曲面内側方向にある頂点に向かって滑り、前記コラムセグメント内で前記湾曲面に沿って落下すると同時に商品の落下姿勢を水平にさせることができることから、商品詰まりを少なくできる前記商品通路を有した自動販売機の商品収納棚を提供できる。
【００２８】
前記コラムセグメントに前記三角形断面形状のビードを複数形成する代わりに、前記コラム側板の間に架設したコラムセグメントの板面に対し、前記湾曲面に沿って前記コラム側板間方向で前記コラムセグメントの横幅方向の中間部から端部方向に向かって前記湾曲面内側へ傾斜した断面形状を有した略台形断面形状のビードを複数形成したことにより、前記商品案内板後端より立ち気味に落下してきた商品の下側端部が前記略台形断面形状のビードの前記側板と平行な面のうち、前記湾曲面の内側へ向かって傾斜した面で引っ掛からずに、前記略台形断面形状のビードの前記側板と平行な面のうち、最も前記湾曲面内側方向にあり前記コラムセグメント板面に平行な面に向かって滑り、前記コラムセグメント内で前記湾曲面に沿って落下すると同時に商品の落下姿勢を水平にさせることができるため、商品が詰まらず、また、前記略台形断面形状の方が略三角形断面形状のビードより断面積が大きくなり形成しづらい反面、断面二次モーメントを増大させることができるためより剛性をあげることが可能となる。
【００２９】
また、前記コラムセグメントに前記略三角形断面形状のビードまたは、略台形断面形状のビードを複数形成する代わりに、前記コラムセグメントの板面に対し、前記湾曲面に沿って前記コラム側板間方向に複数形成された各平押しビードの横側で、且つ、前記コラムセグメントの横幅方向で中間部側の位置に、前記湾曲面に沿って前記コラム側板間方向で前記コラムセグメントの横幅方向の中間部から端部方向に向かって前記湾曲面内側へ傾斜した断面形状を有した略台形断面形状のビードもしくは、略三角形断面形状のビードのいずれかを設けたことにより、前記商品案内板後端より立ち気味に落下してきた商品の下側端部が前記平押しビードの前記湾曲面の最も内側にある角部に引っ掛かる前に、前記略台形断面形状のビードの前記コラム側板と平行な面のうち、前記湾曲面の内側へ向かって傾斜した面で引っ掛からず、前記略三角形断面形状の頂点のうち、最も前記湾曲面内側方向にある頂点もしくは、前記略台形断面形状のビードの前記コラム側板と平行な面のうち、最も前記湾曲面内側方向にあり前記コラムセグメントの板面に平行な面のいずれかに向かって滑り、前記コラムセグメント内で前記湾曲面に沿って落下すると同時に商品の落下姿勢を水平にさせることができるため、商品が詰まらず、また、前記略台形断面形状もしくは、略三角形断面形状のビードに平押しビードを併せて対で設けるため断面積が大きくなり形成しづらい反面、断面二次モーメントを更に増大させることができるためより剛性を高めることができる。
【００３０】
また更に、前記コラムセグメントに前記略三角形断面形状のビードまたは、略台形断面形状のビードを複数形成する代わりに、コラムセグメントの板面に対し、前記湾曲面に沿って前記コラム側板と平行に複数形成された各平押しビードの高さが略中間部に位置する前記平押しビードから端部に位置する前記平押しビードへ順次低くなるように構成したので、断面二次モーメントの関係から剛性を下げることなく、前記商品案内板後端より立ち気味に落下してきた商品の下側端部が前記平押しビードの前記湾曲面の最も内側にある角部のうち、前記コラムセグメントの横幅方向で中間部側の角部に引っ掛からないので、商品は前記湾曲面に沿って落下しようとするためその姿勢を水平に戻す働きにより商品の落下姿勢を水平に安定させることができるので搬出性能をより向上させることができる。
【００３１】
また、各ビードの前記側板と平行となる角部で前記商品案内板後端より立ち気味に落下してきた商品の下側端部が引っ掛かることに対して、前記コラム側板の間に架設したコラムセグメントの板面に対し、前記湾曲面に沿って前記コラム側板間方向に複数形成された各平押しビードの横側で、且つ、前記コラムセグメントの横幅方向の中間部側に位置し、前記コラムセグメントの横幅方向の中間部から端部方向に向かって前記湾曲面内側へ傾斜した断面形状を有し、且つ、前記平押しビードの高さより前記湾曲面内側方向へ高くなった略台形断面形状のビードもしくは、略三角形断面形状のビードのいずれかを設けることにより、断面二次モーメントの関係から所要の剛性を確保しつつ、前記商品案内板後端より立ち気味に落下してきた商品が前記湾曲面に沿って落下しようとする際にその姿勢を水平に戻さなければ蛇行した前記商品通路を通過することはできないので縦気味に落下してきた商品が水平に戻るには、商品の下側端部が各ビードを前記コラムセグメントの横幅方向に横切って滑ることになるが、各ビードの前記側板と平行となる角部に引っ掛かることがないため商品が前記商品通路内で詰まることが減り搬出性能を向上できる。
【００３２】
前記コラムセグメントの材料となる板厚をより薄くしていくと、前記軸部と前記略三角形断面形状のビードもしくは、前記略台形断面形状のビードもしくは、前記平押しビードとの各間が脆弱になり、商品荷重により前記コラムセグメントが破断し、前記商品通路の一部が欠損して、欠損した箇所で商品が詰まり搬出不良を起こすという課題に対して、前記コラム側板の間に架設したコラムセグメントの板面で、前記湾曲面に沿って前記コラム側板間方向に複数形成された前記各ビードの全てもしくは一部が、前記コラムセグメントの上端にカール加工を施して構成された軸部の円周上にまで設けたことにより、前記コラムセグメントの横幅方向の断面で材料となる板厚のみの厚さの部分がより少なくなるため断面二次モーメントの関係から剛性を高めることができ、特に、前記コラムセグメントの上端にカール加工を施して構成された軸部の円周上にまで前記略三角形断面形状のビードもしくは、前記略台形断面形状のビードもしくは、前記平押しビードの全てもしくは一部を新たに設けた箇所は、より断面二次モーメントが大きくなるので比例して剛性も高くなることから、前記軸部と前記略三角形断面形状のビードもしくは、前記略台形断面形状のビードもしくは、前記平押しビードとの各間を補強できるので、商品荷重による前記コラムセグメントの破断から前記商品通路の一部が欠損して、欠損した箇所で商品が詰まり搬出不良を起こすという課題が改善され、また、前記コラムセグメントの剛性があがることに伴い、上端に設けられた前記軸部でのみ前記コラム側板に回転自在に軸支することができるので、自重では前記商品通路を塞ぐ方向に取り付けられ、落下してきた商品により前記商品通路を塞ぐ方向に取り付けられた前記コラムセグメントは押し広げられて、商品は前記商品通路内を落下していくこととなり、商品の落下衝撃は、前記コラムセグメントを押し広げる力に変換されることにより落下衝撃を吸収することができる。
【００３３】
更に、前記湾曲面に沿って前記コラム側板間方向に複数形成されたビードの全てもしくは一部が、前記コラムセグメントの上下端にカール加工を施して構成された軸部の円周上にまで設けることにより、前記コラムセグメントが上下端に設けられた前記両軸部で前記コラム側板間に架設されているので、取り付け後の剛性はより高められる。
【００３４】
前記コラムセグメントの剛性をより一層高めるためには、前記側板に平行となる断面が湾曲した形状の湾曲面を有し、千鳥状に配列されて前記コラム側板の間に架設したコラムセグメントの左右側縁を折り返してダブルホールド部を形成、または、Ｌ曲げにて前記湾曲面の外側へ直角方向にフランジを形成するようにすることが望ましい。
【００３５】
【発明の実施の形態】
本発明の請求項１に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記側板に平行となる断面が湾曲した形状の湾曲面を有し、千鳥状に配列されて前記コラム側板の間に架設したコラムセグメントの板面に対し、前記湾曲面に沿って前記コラム側板間方向で前記コラムセグメントの横幅方向の中間部から端部方向に向かって前記湾曲面内側へ傾斜した断面形状を有した略三角形断面形状のビードを複数形成したことを特徴とする前記コラムセグメントとしたものであり、断面二次モーメントの関係から前記コラムセグメントに対して所要の剛性を確保して材料となる板厚を小さくでき、尚且つ、前記コラムセグメントの横幅方向の断面形状で特にビード部断面形状を前記コラムセグメントの横幅方向の中間部から端部に向かって前記湾曲面内側へ傾斜した断面を有した略三角形断面形状としたので、水平に投入された商品は、前記商品案内板上を転動して前記商品通路へと導かれるが、前記商品案内板後端より立ち気味に落下してしまっても、立ち気味の商品の下側端部が前記略三角形断面形状のビードの前記コラム側板と平行な面のうち、前記湾曲面の内側へ向かってなだらかに傾斜した面のおかげで引っ掛からずに前記略三角形断面形状の頂点のうち、最も前記湾曲面内側方向にある頂点に向かって滑り、前記コラムセグメント内で前記湾曲面に沿って落下すると同時に商品の落下姿勢を水平にさせることができるため、商品詰まりが減り搬出不良の確率を下げることができるという作用を有する。
【００３６】
請求項２に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向で前記コラムセグメントの横幅方向の中間部から端部方向に向かって前記湾曲面内側へ傾斜した断面形状を有した略台形断面形状のビードを複数形成したことを特徴とする前記コラムセグメントとしたものであり、前記商品案内板後端より立ち気味に落下してきた商品の下側端部が前記略台形断面形状のビードの前記側板と平行な面のうち、前記湾曲面の内側へ向かってなだらかに傾斜した面で引っ掛からずに、前記略台形断面形状のビードの前記コラム側板と平行な面のうち、最も前記湾曲面内側方向にあり前記コラムセグメントの板面に平行な面に向かって滑り、前記コラムセグメント内で前記湾曲面に沿って落下すると同時に商品の落下姿勢を水平にさせることができるため、商品が詰まらず、また、前記略台形断面形状の方が略三角形断面形状のビードより断面積が大きくなり形成しづらい反面、断面二次モーメントを増大させることができるためより剛性をあげることが可能となり、商品の搬出性能を損なうことなく前記コラムセグメントの剛性を高めることができるという作用を有する。
【００３７】
請求項３に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成された各平押しビードの横側で、且つ、前記コラムセグメントの横幅方向で中間部側の位置に、前記湾曲面に沿って前記コラム側板間方向で前記コラムセグメントの横幅方向の中間部から端部方向に向かって前記湾曲面内側へ傾斜した断面形状を有した略台形断面形状のビードもしくは、略三角形断面形状のビードのいずれかを設けたことを特徴とする前記コラムセグメントとしたものであり、前記商品案内板後端より立ち気味に落下してきた商品の下側端部が前記平押しビードの前記湾曲面の最も内側にある角部に引っ掛かる前に、前記略台形断面形状のビードの前記コラム側板と平行な面のうち、前記湾曲面の内側へ向かってなだらかに傾斜した面で引っ掛からず、前記略三角形断面形状の頂点のうち、最も前記湾曲面内側方向にある頂点もしくは、前記略台形断面形状のビードの前記コラム側板と平行な面のうち、最も前記湾曲面内側方向にあり前記コラムセグメント板面に平行な面のいずれかに向かって滑り、前記コラムセグメント内で前記湾曲面に沿って落下すると同時に商品の落下姿勢を水平にさせることができるため、商品が詰まらず、また、前記略台形断面形状もしくは、略三角形断面形状のビードに平押しビードを併せて対で設けるため断面積が大きくなり形成しづらい反面、断面二次モーメントを更に増大させることができるためより剛性を高めることができ、更に材料となる板厚を小さくすることができるという作用を有する。
【００３８】
請求項４に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成された各平押しビードの高さが略中間部に位置する前記平押しビードから端部に位置する前記平押しビードへ順次低くなることを特徴とする前記コラムセグメントとしたものであり、断面二次モーメントの関係から所要の剛性が確保でき、また、前記商品案内板後端より立ち気味に落下してきた商品の下側端部が前記平押しビードの前記湾曲面の最も内側にある角部のうち、前記コラムセグメントの横幅方向で中間部側の角部に引っ掛からないので、商品は前記湾曲面に沿って落下しようとするためその姿勢を水平に戻す働きにより商品の落下姿勢を水平に安定させることができるので搬出性能をより向上させることができるという作用を有する。
【００３９】
請求項５に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成された各平押しビードの横側で、且つ、前記コラムセグメントの横幅方向の中間部側に位置し、前記コラムセグメントの横幅方向の中間部から端部方向に向かって前記湾曲面内側へ傾斜した断面形状を有し、且つ、前記平押しビードの高さより前記湾曲面内側方向へ高くなった略台形断面形状のビードもしくは、略三角形断面形状のビードのいずれかを設けたことを特徴とする前記コラムセグメントとしたものであり、断面二次モーメントの関係から所要の剛性が確保できると共に、前記商品案内板後端より立ち気味に落下してきた商品が前記湾曲面に沿って落下しようとする際にその姿勢を水平に戻さなければ蛇行した前記商品通路を通過することはできないので縦気味に落下してきた商品が水平に戻るには、商品の下側端部が各ビードを前記コラムセグメントの横幅方向に横切って滑ることになるが、前記コラムセグメントの横幅方向の中間部から端部へ各ビードの高さが低くなっているので、各ビードの前記コラム側板と平行になる角部に引っ掛かることがないため商品が前記商品通路内で詰まらず搬出性能を向上できるという作用を有する。
【００４０】
請求項６に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成されたビードの全てもしくは一部が、前記コラムセグメントの上端にカール加工を施して構成された軸部の円周上にまで設けられたことを特徴とする請求項１から請求項５のいずれかに記載の前記コラムセグメントとしたものであり、前記コラムセグメントの横幅方向の断面で材料となる板厚のみの厚さの部分がより少なくなるため断面二次モーメントの関係から剛性を高めることができ、特に、前記コラムセグメントの上端にカール加工を施して構成された軸部の円周上にまで前記略三角形断面形状のビードもしくは、前記略台形断面形状のビードもしくは、前記平押しビードの全てもしくは一部を新たに設けた箇所は、より断面二次モーメントが大きくなるので比例して剛性も高くなることから、前記軸部と前記略三角形断面形状のビードもしくは、前記略台形断面形状のビードもしくは、前記平押しビードとの各間を補強できるので、商品荷重による前記コラムセグメントの破断から前記商品通路の一部が欠損して、欠損した箇所で商品が詰まり搬出不良を起こすことがないため搬出性能を向上でき、また、前記コラムセグメントの剛性があがることに伴い、上端に設けられた前記軸部でのみ前記コラム側板に回転自在に軸支することができるので、自重では前記商品通路を塞ぐ方向に取り付けられ、落下してきた商品により前記商品通路を塞ぐ方向に取り付けられた前記コラムセグメントは押し広げられて、商品は前記商品通路内を落下していくこととなり、商品の落下衝撃は、前記コラムセグメントを押し広げる力に変換されることにより落下衝撃を吸収することができるという作用を有する。
【００４１】
請求項７に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成されたビードの全てもしくは一部が、前記コラムセグメントの上下端にカール加工を施して構成された軸部の円周上にまで設けられたことを特徴とする請求項１から請求項５のいずれかに記載の前記コラムセグメントとしたものであり、前記コラムセグメントが上下端に設けられた前記両軸部で前記コラム側板間に架設されているので、取り付け後の剛性はより高められるという作用を有する。
【００４２】
請求項８に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板厚を０．４ｍｍ以下としたことを特徴とする請求項１から請求項７のいずれかに記載の前記コラムセグメントとしたものであり、所要の搬出性能及び剛性を満足しつつ、市販性の高い薄板を材料とすることができるため材料費を節減できる上、軽量化を図れるのでより安価で軽い自動販売機を提供できることから自動販売機の普及率向上に貢献できるという作用を有する。
【００４３】
請求項９に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの左右側縁を折り返してダブルホールド部を形成、または、Ｌ曲げにて前記湾曲面の外側へ直角方向にフランジを形成したことを特徴とする請求項１から請求項８のいずれかに記載の前記コラムセグメントとしたことにより、商品による荷重が加わる方向に対して厚みをより大きくできるので断面二次モーメントが大きくなり前記コラムセグメントの曲げ荷重に対する剛性が増し、商品荷重によりコラムセグメントが破断することなく商品搬出性能を損なわずに材料となる板厚をより小さくできるという作用を有する。
【００４４】
【実施例】
以下、本発明による自動販売機の商品収納棚の実施例について、図面を参照しながら説明する。尚、従来と同一構成については、同一符号を付して詳細な説明を省略する。
【００４５】
図１は、自動販売機の商品収納棚４に設けられた商品通路１０を構成するコラムセグメント８の正面図であり、商品通路１０面となる湾曲面１４の内側から見た状態である。図２は、コラムセグメント８の側面図であり、図３は、コラムセグメント８を横幅方向のＡ−Ａ線で切断して下方から上方を見た時の図１のＡ−Ａ線断面図である。図４は、本発明による自動販売機の商品収納棚４の断面図である。
【００４６】
自動販売機の商品収納棚４は、左右のコラム側板７の間に画成した上下方向の蛇行状の商品通路１０に連ねてその上部に商品収納棚４の前面より商品通路１０へ商品を案内する商品投入用の商品案内板１１、下部出口側に販売司令に基づいて商品を搬出するベンド機構１２を配備して構成されている。
【００４７】
１５ａ，１５ｂは、蛇行状の商品通路１０を構成する部材で、コラム側板７に平行な断面が湾曲した湾曲面１４を有し、千鳥状に配列されてコラム側板７の間に架設したコラムセグメント８の板面に対し、湾曲面１４に沿ってコラム側板７間方向でコラムセグメント８の横幅の中間部から端部方向に向かってコラムセグメント８の板面から湾曲面１４内側へなだらかに傾斜した断面形状を有した略三角形断面形状のビードである。
【００４８】
本実施例では、略三角形断面形状のビード１５ａが、湾曲面１４に平行してコラムセグメント８の横幅方向の中間部より左側に位置した箇所に設けられており、略三角形断面形状のビード１５ｂが、コラムセグメント８の横幅方向の中間部で湾曲面１４に平行な架空線を対称軸として略三角形断面形状のビード１５ａを線対称させた断面形状の略三角形断面形状のビートであり、湾曲面１４に平行してコラムセグメント８の横幅方向の中間部より右側に位置した箇所に設けられている。
【００４９】
また、１３ａは、コラムセグメント８の横幅方向の略中間部に設けられた平押しビードで、１３ｂは、略三角形断面形状のビード１５ａの左横に、１３ｃは、略三角形断面形状のビード１５ｂの右横にそれぞれ設けられた平押しビードである。
【００５０】
更に、平押しビード１３ｂの左横と、平押しビード１３ｃの右横には、湾曲面１４に平行して平押しビード１３ａ，１３ｂ，１３ｃより低い高さでそれぞれ設けられた平押しビード１６ａ，１６ｂがある。
【００５１】
平押しビード１６ａの左横でコラムセグメント８の左端と、平押しビード１６ｂの右横でコラムセグメント８の右端にはそれぞれ折り返して形成されたダブルホールド部１７ａ，１７ｂが設けられ、コラムセグメント８の剛性をより一層強化している。本実施例のコラムセグメント８は、好ましくは、板厚０．３ｍｍの亜鉛鋼板を材料として、プレス加工により作製され、コラムセグメント８の上端に設けられてカール加工を施しコラム側板７間に架設する際の軸になる軸部９の下部の剛性を保つために、略三角形断面形状のビード１５ａ，１５ｂと平押しビード１３ｂ，１３ｃの上部が軸部９の円周上にまで延長された構造となっている。
【００５２】
コラムセグメント８は、上端に設けられた軸部９で左右２枚のコラム側板７間に回転自在に軸支され、自重により商品通路１０を塞ぐように架設されている。また、軸部９を中心に商品通路１０を広げる方向にコラムセグメント８を回転させると、コラムセグメント８の下端は、下方に取り付けられたコラムセグメント８の上端に設けられた軸部９に当接して最適な商品通路１０幅を形成するように上下ピッチを定めてコラムセグメント８を配置して商品通路１０を構成している。
【００５３】
更に、対向した位置に、軸部９を中心に商品通路１０を広げる方向にコラムセグメント８を回転させると、コラムセグメント８の下端が、下方に取り付けられたコラムセグメント８の上端に設けられた軸部９に当接して最適な商品通路１０幅を形成するよう定められた上下ピッチのほぼ半分だけ上下方向にずらしてコラムセグメント８が構成されている。
【００５４】
全てのコラムセグメント８は自重により商品通路１０を塞ぐように架設されているが、軸部９を中心に商品通路１０を広げる方向にコラムセグメント８を回転させるとコラムセグメント８の下端は、下方に取り付けられたコラムセグメント８の上端に設けられた軸部９に当接して最適な商品通路１０幅を設定するように商品通路１０はコラムセグメント８を千鳥状に対向させて左右２枚のコラム側板７間に複数個をそれぞれ軸部９で回転自在に軸支して架設され構成されている。
【００５５】
以上のように構成された自動販売機の商品収納棚とすることで、商品案内板１１より水平に投入された商品が商品案内板１１上を転動して商品通路１０に案内される直前の商品案内板１１上後端で商品がコラム側板７間方向に対し斜めになると、商品通路１０に落下する時、商品姿勢が斜めになり商品が立ち気味に落下する傾向がある。
【００５６】
斜めに落下してきた商品がコラムセグメント８の側面形状の一部を構成する湾曲面１４に接触した後、商品落下による荷重でコラムセグメント８は軸部９を中心に商品通路１０幅を広げる方向に、コラムセグメント８の下端がその下方に取り付けられたコラムセグメント８の上端に設けられた軸部９に当接するまで回転し、商品通路１０幅を最適な幅に設定するが、斜めに落下してきて立ち気味の状態にある商品は商品通路１０が蛇行した形状のために立ち気味の状態では落下できず、斜めになった商品の下端が湾曲面１４に設けられた略三角形断面形状のビード１５ａ，１５ｂの面のうち、湾曲面１４に平行で湾曲面１４の内側へなだらかに傾斜した面を滑り上がりコラムセグメント８の横幅方向でその端部へと摺動しながら湾曲面１４に沿って落下することにより商品落下姿勢が水平に戻され、商品通路１０内を落下していくこととなる。
【００５７】
以上のように本実施例の自動販売機の商品収納棚は、コラム側板７に平行な断面が湾曲した湾曲面１４を有し、コラム側板７の間に架設したコラムセグメント８の板面に対し、湾曲面１４に沿ってコラム側板７間方向でコラムセグメント８の横幅方向の中間部に設けられた平押しビード１３ａと、コラムセグメント８の板面に対し、湾曲面１４に沿って平行で、コラム側板７間方向でコラムセグメント８の横幅方向の中間部から端部方向に向かってコラムセグメント８の板面から湾曲面１４内側へなだらかに傾斜した断面形状を有し、平押しビード１３ａの右側に設けられた略三角形断面形状のビート１５ａ、同じく平押しビード１３ａの左側に設けられた略三角形断面形状のビード１５ｂと、略三角形断面形状のビード１５ａの左横にコラムセグメント８の板面に対し、湾曲面１４に沿って平行に設けられた平押しビード１３ｂと、略三角形断面形状のビード１５ｂの右横に設けられた平押しビード１３ｃと、平押しビード１３ｂの左横と、平押しビード１３ｃの右横に湾曲面１４に平行して平押しビード１３ａ，１３ｂ，１３ｃより低い高さでそれぞれ設けられた平押しビード１６ａ，１６ｂと、平押しビード１６ａの左横でコラムセグメント８の左端と、平押しビード１６ｂの右横でコラムセグメント８の右端にはそれぞれ折り返して形成されたダブルホールド部１７ａ，１７ｂとを設け、略三角形断面形状のビード１５ａ，１５ｂと、平押しビード１３ｂ，１３ｃ，１６ａ，１６ｂをそれぞれ軸部９の円周上にまで伸ばして設けたコラムセグメント８を千鳥状に左右２枚のコラム側板７間に架設され商品通路１０を構成したので、断面二次モーメントの関係からコラムセグメント８に対して所要の剛性を確保して材料となる板厚を小さくでき、尚且つ、水平に投入された商品が、商品案内板１１上を転動して商品通路１０へと導かれるが、商品案内板１１後端より立ち気味に落下してしまっても、立ち気味の商品の下側端部が略三角形断面形状のビート１５ａ，１５ｂのコラム側板７と平行な面のうち、湾曲面１４の内側へ向かってなだらかに傾斜した面のおかげで引っ掛からずに略三角形断面形状のビート１５ａ，１５ｂの頂点のうち、最も湾曲面１４内側方向にある頂点に向かって滑り、コラムセグメント８内で湾曲面１４に沿って落下すると同時に商品の落下姿勢を水平にさせることができ、また、商品案内板１１後端より立ち気味に落下してきた商品の下側端部が平押しビード１３ｂ，１３ｃ，１６ａ，１６ｂの湾曲面１４のそれぞれ最も内側にある角部のうち、コラムセグメント８の横幅方向で中間部側の角部に引っ掛からないので、商品は湾曲面１４に沿って落下しようとするためその姿勢を水平に戻す働きにより商品の落下姿勢を水平に安定させることができるので搬出性能をより向上させることができる。
【００５８】
また、コラムセグメント８の横幅方向の断面で材料となる板厚のみの厚さの部分がより少なくなるため断面二次モーメントの関係から剛性を高めることができ、特に、コラムセグメント８の上端にカール加工を施して構成された軸部９の円周上にまで略三角形断面形状のビード１５ａ，１５ｂ、平押しビード１３ｂ，１３ｃ，１６ａ，１６ｂを新たに設けた箇所は、より断面二次モーメントが大きくなるので比例して剛性も高くなることから、軸部９と略三角形断面形状のビード１５ａ，１５ｂ、平押しビード１３ｂ，１３ｃ，１６ａ，１６ｂとの各間を補強できるので、商品荷重によるコラムセグメント８の破断から商品通路１０の一部が欠損して、欠損した箇所で商品が詰まり搬出不良を起こすことがないため搬出性能を向上でき、また、コラムセグメント８の剛性があがることに伴い、上端に設けられた軸部９でのみコラム側板７に回転自在に軸支することができるので、自重では商品通路１０を塞ぐ方向に取り付けられ、落下してきた商品により商品通路１０を塞ぐ方向に取り付けられたコラムセグメント１０は押し広げられて、商品は商品通路１０内を落下していくこととなり、商品の落下衝撃は、コラムセグメント８を押し広げる力に変換されることにより落下衝撃を吸収することができる。
【００５９】
更に、コラムセグメント８の板厚を０．３ｍｍとしたことにより、所要の搬出性能及び剛性を満足しつつ、市販性の高い薄板を材料とすることができるため材料費を節減できると共に軽量化が図れ、より安価より軽い自動販売機を提供できることから自動販売機の普及率向上に貢献できる。
【００６０】
また更に、コラムセグメント８の左右側縁を折り返して形成したダブルホールド部１７ａ，１７ｂにより、コラムセグメント８の剛性はより一層高められる。
【００６１】
なお、コラムセグメント８の左右側縁に折り返してダブルホールド部１７ａ，１７ｂを形成したが、Ｌ曲げにて湾曲面１４の外側へ直角方向にフランジを形成しても同様の効果が得られる。
【００６２】
本実施例では、コラムセグメント８の剛性を高めると同時に、商品案内板１１より斜めに落下してきた商品の下端が引っ掛からなくするために、略三角形断面形状のビード１５ａ，１５ｂとしたが、蛇行状の商品通路１０を構成する部材でコラム側板７に平行な断面が湾曲した湾曲面１４を有し、千鳥状に配列されてコラム側板７の間に架設したコラムセグメント８の板面に対し、湾曲面１４に沿ってコラム側板７間方向でコラムセグメント８の横幅方向の中間部から端部に向かって湾曲面１４内側へなだらかに傾斜した断面形状を有した略台形断面形状のビードとすると、商品案内板１１より斜めに落下してきた商品の下端が引っ掛からずに、コラムセグメント８の剛性をさらに高くできるという効果が得られる。
【００６３】
また、本実施例では、コラムセグメント８を、上端に設けられた軸部９で左右２枚のコラム側板７間に回転自在に軸支し、自重により商品通路１０を塞ぐように架設したが、コラムセグメント８の上下両端にカール加工を施して軸部９をそれぞれ設け、各軸部９の円周上にまで略三角形断面形状のビード１５ａ，１５ｂ、平押しビード１３ｂ，１３ｃ，１６ａ，１６ｂを設けることにより、コラムセグメント８の剛性はさらに高められ、コラムセグメント８が上下端に設けられた両軸部９でコラム側板７間に架設されているので、取り付け後の剛性はより高められる。
【００６４】
【発明の効果】
以上説明したように請求項１に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向で前記コラムセグメントの横幅方向の中間部から端部方向に向かって前記湾曲面内側へ傾斜した断面形状を有した略三角形断面形状のビードを複数形成したことを特徴とする前記コラムセグメントとしたので、断面二次モーメントの関係から前記コラムセグメントに対して所要の剛性を確保して材料となる板厚を小さくでき、尚且つ、前記コラムセグメントの横幅方向の断面形状で特にビード部断面形状を前記コラムセグメントの横幅方向の中間部から端部に向かって前記湾曲面内側へ傾斜した断面を有した略三角形断面形状としたので、水平に投入された商品は、前記商品案内板上を転動して前記商品通路へと導かれるが、前記商品案内板後端より立ち気味に落下してしまっても、立ち気味の商品の下側端部が前記略三角形断面形状のビードの前記コラム側板と平行な面のうち、前記湾曲面の内側へ向かってなだらかに傾斜した面のおかげで引っ掛からずに前記略三角形断面形状の頂点のうち、最も前記湾曲面内側方向にある頂点に向かって滑り、前記コラムセグメント内で前記湾曲面に沿って落下すると同時に商品の落下姿勢を水平にさせることができるため、商品詰まりが減るので搬出性能を向上できる。
【００６５】
請求項２に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向で前記コラムセグメントの横幅方向の中間部から端部方向に向かって前記湾曲面内側へ傾斜した断面形状を有した略台形断面形状のビードを複数形成したことを特徴とする前記コラムセグメントとしたことにより、前記商品案内板後端より立ち気味に落下してきた商品の下側端部が前記略台形断面形状のビードの前記コラム側板と平行な面のうち、前記湾曲面の内側へ向かってなだらかに傾斜した面で引っ掛からずに、前記略台形断面形状のビードの前記コラム側板と平行な面のうち、最も前記湾曲面内側方向にあり前記コラムセグメント板面に平行な面に向かって滑り、前記コラムセグメント内で前記湾曲面に沿って落下すると同時に商品の落下姿勢を水平にさせることができるため、商品が詰まらず、また、前記略台形断面形状の方が略三角形断面形状のビードより断面積が大きくなり形成しづらい反面、断面二次モーメントを増大させることができるためより剛性をあげることが可能となり、商品の搬出性能を損なうことなく前記コラムセグメントの剛性を高めることができる。
【００６６】
請求項３に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成された各平押しビードの横側で、且つ、前記コラムセグメントの横幅方向で中間部側の位置に、前記湾曲面に沿って前記コラム側板間方向で前記コラムセグメントの横幅方向の中間部から端部方向に向かって前記湾曲面内側へ傾斜した断面形状を有した略台形断面形状のビードもしくは、略三角形断面形状のビードのいずれかを設けたことを特徴とする前記コラムセグメントとしたので、前記商品案内板後端より立ち気味に落下してきた商品の下側端部が前記平押しビードの前記湾曲面の最も内側にある角部に引っ掛かる前に、前記略台形断面形状のビードの前記コラム側板と平行な面のうち、前記湾曲面の内側へ向かってなだらかに傾斜した面で引っ掛からず、前記略三角形断面形状の頂点のうち、最も前記湾曲面内側方向にある頂点もしくは、前記略台形断面形状のビードの前記コラム側板と平行な面のうち、最も前記湾曲面内側方向にあり前記コラムセグメント板面に平行な面のいずれかに向かって滑り、前記コラムセグメント内で前記湾曲面に沿って落下すると同時に商品の落下姿勢を水平にさせることができるため、商品が詰まらず、また、前記略台形断面形状もしくは、略三角形断面形状のビードに平押しビードを併せて対で設けるため断面積が大きくなり形成しづらい反面、断面二次モーメントを更に増大させることができるためより剛性を高めることができる。
【００６７】
請求項４に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成された各平押しビードの高さが略中間部に位置する前記平押しビードから端部に位置する前記平押しビードへ順次低くなることを特徴とする前記コラムセグメントとしたので、断面二次モーメントの関係から所要の剛性が確保でき、また、前記商品案内板後端より立ち気味に落下してきた商品の下側端部が前記平押しビードの前記湾曲面の最も内側にある角部のうち、前記コラムセグメントの横幅方向で中間部側の角部に引っ掛からないので、商品は前記湾曲面に沿って落下しようとするためその姿勢を水平に戻す働きにより商品の落下姿勢を水平に安定させることができるので搬出性能をより向上させることができる。
【００６８】
請求項５に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成された各平押しビードの横側で、且つ、前記コラムセグメントの横幅方向の中間部側に位置し、前記コラムセグメントの横幅方向の中間部から端部方向に向かって前記湾曲面内側へ傾斜した断面形状を有し、且つ、前記平押しビードの高さより前記湾曲面内側方向へ高くなった略台形断面形状のビードもしくは、略三角形断面形状のビードのいずれかを設けたことを特徴とする前記コラムセグメントとしたので、断面二次モーメントの関係から所要の剛性を確保できると共に、前記商品案内板後端より立ち気味に落下してきた商品が前記湾曲面に沿って落下しようとする際にその姿勢を水平に戻さなければ蛇行した前記商品通路を通過することはできないので縦気味に落下してきた商品が水平に戻るには、商品の下側端部が各ビードを前記コラムセグメントの横幅方向に横切って滑ることになるが、前記コラムセグメントの横幅方向の中間部から端部へ各ビードの高さが低くなっているので、各ビードの前記コラム側板と平行となる角部に引っ掛かることがないため商品が前記商品通路内で詰まらず搬出性能を向上できる。
【００６９】
請求項６に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成されたビードの全てもしくは一部が、前記コラムセグメントの上端にカール加工を施して構成された軸部の円周上にまで設けられたことを特徴とする請求項１から請求項５のいずれかに記載の前記コラムセグメントとしたので、前記コラムセグメントの横幅方向の断面で材料となる板厚のみの厚さの部分がより少なくなるため断面二次モーメントの関係から剛性を高めることができ、特に、前記コラムセグメントの上端にカール加工を施して構成された軸部の円周上にまで前記略三角形断面形状のビードもしくは、前記略台形断面形状のビードもしくは、前記平押しビードの全てもしくは一部を新たに設けた箇所は、より断面二次モーメントが大きくなるので比例して剛性も高くなることから、前記軸部と前記略三角形断面形状のビードもしくは、前記略台形断面形状のビードもしくは、前記平押しビードとの各間を補強できるので、商品荷重による前記コラムセグメントの破断から前記商品通路の一部が欠損して、欠損した箇所で商品が詰まり搬出不良を起こすことがないため搬出性能を向上でき、また、前記コラムセグメントの剛性があがることに伴い、上端に設けられた前記軸部でのみ前記コラム側板に回転自在に軸支することができるので、自重では前記商品通路を塞ぐ方向に取り付けられ、落下してきた商品により前記商品通路を塞ぐ方向に取り付けられた前記コラムセグメントは押し広げられて、商品は前記商品通路内を落下していくこととなり、商品の落下衝撃は、前記コラムセグメントを押し広げる力に変換されることにより落下衝撃を吸収することができる。
【００７０】
請求項７に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板面に対し、前記湾曲面に沿って前記コラム側板間方向に複数形成されたビードの全てもしくは一部が、前記コラムセグメントの上下端にカール加工を施して構成された軸部の円周上にまで設けられたことを特徴とする請求項１から請求項５のいずれかに記載の前記コラムセグメントとしたので、前記コラムセグメントが上下端に設けられた前記両軸部で前記コラム側板間に架設されているので、取り付け後の剛性をより高めることができる。
【００７１】
請求項８に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの板厚を０．４ｍｍ以下としたことを特徴とする請求項１から請求項７のいずれかに記載の前記コラムセグメントとしたので、所要の搬出性能及び剛性を満足しつつ、市販性の高い薄板を材料とすることができるため材料費を節減できると共に軽量化を図れるのでより安価でより軽い自動販売機を提供できることから自動販売機の普及率向上に貢献できる。
【００７２】
請求項９に記載の発明は、左右のコラム側板の間に画成した上下方向の蛇行状の商品通路に連ねてその上部に商品投入用の商品案内板を、下部出口側に商品搬出用のベンド機構を配備して構成した自動販売機の商品収納棚において、複数の蛇行状の前記商品通路を形成する部材で、前記コラム側板に平行となる断面が湾曲した形状の湾曲面を有し、千鳥状に配列されて前記コラム側板の間に架設したコラムセグメントの左右側縁を折り返してダブルホールド部を形成、または、Ｌ曲げにて前記湾曲面の外側へ直角方向にフランジを形成したことを特徴とする請求項１から請求項８のいずれかに記載の前記コラムセグメントとしたので、商品による荷重が加わる方向に対して厚みをより大きくできるので断面二次モーメントが大きくなり前記コラムセグメントの曲げ荷重に対する剛性が増し、商品荷重によりコラムセグメントが破断することなく商品搬出性能を損なわずに材料となる板厚をより小さくできる。
【図面の簡単な説明】
【図１】本発明による自動販売機の商品収納棚に設けられた商品通路を構成するコラムセグメントの実施例１の正面図
【図２】同実施例の自動販売機の商品収納棚に設けられた商品通路を構成するコラムセグメントの側面図
【図３】図１のＡ−Ａ線断面図
【図４】同実施例の自動販売機の商品収納棚の断面図
【図５】従来の自動販売機の全体構成を示す斜視図
【図６】商品収納棚の従来構成を示す断面図
【図７】従来の自動販売機の商品収納棚に設けられた商品通路を構成するコラムセグメントの正面図
【図８】従来の自動販売機の商品収納棚に設けられた商品通路を構成するコラムセグメントの側面図
【図９】図７のＢ−Ｂ線断面図
【符号の説明】
１  自動販売機本体ケース
２  前面外扉
３  断熱内扉
４  商品収納棚
５  シュータ
６  取出し口
７  コラム側板
８  コラムセグメント
９  軸部
１０  商品通路
１１  商品案内板
１２  ベンド機構
１３，１３ａ，１３ｂ，１３ｃ，１６ａ，１６ｂ  平押しビード
１４  湾曲面
１５ａ，１５ｂ  略三角形断面形状のビード
１７ａ，１７ｂ  ダブルホールド部
【図１】
0003957949.tif 000002
【図２】
0003957949.tif 000003
【図３】
0003957949.tif 000004
【図４】
0003957949.tif 000005
【図５】
0003957949.tif 000006
【図６】
0003957949.tif 000007
【図７】
0003957949.tif 000008
【図８】
0003957949.tif 000009
【図９】
0003957949.tif 000010